(57)【要約】      （修正有）【課題】髪の締め付け具合を簡単に調整することができるとともに、髪を束ねる手間がかからず、短時間でスムーズに髪を束ねることができ、部品の紛失等によって利用不可能になる事態が生じることなく、ファッション性に優れた飾り付き髪留めを提供する。【解決手段】飾り付き髪留め１は、紐２と、飾り３とを備える。紐２は、複数の突起１１または溝が軸方向に所定間隔で配置された線状の紐本体部１０と、紐本体部１０の所定位置に設けられ、第１穴１４Ａを有する第１固定部１４とで構成されている。飾り３は、第２穴を有する第２固定部を含む。第１固定部１４は、紐本体部１０の一端が第１穴１４Ａに通されることで複数の突起１１の間または溝に固定される。第２固定部は、紐本体部１０の一端が第２穴に通されることで複数の突起１１の間または溝に固定される。【選択図】図１
0003232702.tif 000002
【実用新案登録請求の範囲】
【請求項１】
複数の突起または溝が軸方向に所定間隔で配置された線状の紐本体部と、
前記紐本体部の所定位置に設けられ、第１穴を有する第１固定部とで構成された紐と、
第２穴を有する第２固定部を含む飾りと、を備え、
前記第１固定部は、前記紐本体部の一端が前記第１穴に通されることで前記複数の突起の間または前記溝に固定され、
前記第２固定部は、前記紐本体部の一端が前記第２穴に通されることで前記複数の突起の間または前記溝に固定される
ことを特徴とする飾り付き髪留め。
【請求項２】
前記複数の突起は、径方向に弾性変形可能であり、
前記第１穴及び前記第２穴は、内径が前記紐本体部の一端の外径よりも大きく前記突起の外径よりも小さい請求項１に記載の飾り付き髪留め。
【請求項３】
前記第１固定部は、前記第１穴が径方向に伸縮する伸縮性材料で形成され、
前記第２固定部は、前記第２穴が径方向に伸縮する伸縮性材料で形成された請求項１に記載の飾り付き髪留め。
【請求項４】
前記紐は、前記紐本体部の一端に設けられ、前記複数の突起の間または前記溝に引っ掛けられることで前記紐本体部の一端を前記複数の突起の間または前記溝に固定するフック部を備えた請求項１から請求項３のいずれかに記載の飾り付き髪留め。
【請求項５】
前記紐本体部は、軸方向に伸縮する伸縮性材料で形成された請求項１から請求項４のいずれかに記載の飾り付き髪留め。
【考案の詳細な説明】
【技術分野】
【０００１】
本考案は、人の髪を束ねる、飾りの付いた飾り付き髪留めに関する。
【背景技術】
【０００２】
ヘアゴムが髪留めとして多くの人に利用されている。ヘアゴムは人が髪を束ねる（縛る、まとめる）ときに使用するゴム紐である。ヘアゴムにはリング状（環状）のものや一本の線状のものがある。
【０００３】
リング状のヘアゴムの場合、ヘアゴムを使用する人（以下、使用者という。）がヘアゴムを指で広げ、リング状のヘアゴムの輪の中に髪を通して髪を束ねる。この場合、ヘアゴムによる髪の締め付け具合を調整するため、使用者がヘアゴムで２重以上の輪を作り、その２重以上の輪の中に髪を通して髪を束ねることもある。使用者以外の人（以下、第三者という。）が使用者の髪を束ねる場合も、同様の要領でリング状のヘアゴムを使って使用者の髪を束ねることができる。
【０００４】
一本の線状のヘアゴムの場合、使用者が自身の髪の毛の量や長さに合わせて予め線状のヘアゴムを結んで輪を作る。そして、使用者が予め結んだヘアゴムを指で広げ、ヘアゴムの輪の中に髪を通して髪を束ねる。また、第三者が使用者の髪を手で束ね、束ねた髪に線状のヘアゴムを巻き付けた後、ヘアゴムを結ぶ。これにより、第三者が使用者の髪をヘアゴムで束ねることができる。
【０００５】
リング状のヘアゴムの場合、ヘアゴムの伸縮性と輪の径の大きさによって髪の締め付け具合が決まってしまう。また、使用者や第三者がヘアゴムで２重、３重の輪を作ることにより髪の締め付け具合を調整することができるが、締め付け具合の微妙な調整は困難である。
【０００６】
また、一般的には、使用者がリング状のヘアゴムの輪の中に髪を通した後、２つ目の輪を作り、２つ目の輪の中に髪を通す作業を行う必要がある。このとき、髪の毛がヘアゴムにからまってしまうおそれがある。特に、子供がそのような作業を行うことが難しく、時間がかかってしまう。さらに、リング状のヘアゴムの場合、伸縮性の高いゴム紐で形成する必要があり、ヘアゴムを形成する材料（素材）の自由度が制限されてしまう。
【０００７】
一本の線状のヘアゴムの場合、使用者の髪の毛の量や長さに合わせて予めヘアゴムを結んで輪を作ることができる。しかし、線状のヘアゴムの場合、ヘアゴムを結ぶのに手間がかかる。また、線状のヘアゴムを結んでできた輪の径が使用者の髪の毛の量や長さに合っていない場合は、線状のヘアゴムをほどいて、あらためて結びなおさなければならず、さらに手間がかかってしまう。
【０００８】
第三者が線状のヘアゴムで使用者の髪を束ねる場合も、手間がかかり面倒である。特に、母親が子供の髪を線状のヘアゴムで束ねる場合、子供の髪の毛が細く毛量が少ないため何度も髪に巻きつけなければならない。このため、母親が線状のヘアゴムで子供の髪を束ねる時間がかかってしまうが、子供がじっとしているのが難しい。
【０００９】
特許文献１には、弾性変形可能なこぶ（突起）が付いた紐と、紐の両端を穴に通して固定する固定具とを備えた弾性変形可能なヘアバンドが記載されている。このヘアバンドを通常のヘアゴムのような髪留めに応用することにより、使用者の髪の毛の量や長さに合わせてヘアゴムの締め付け具合を調整することができる。
【先行技術文献】
【特許文献】
【００１０】
【特許文献１】特開２０２０−１６２７１７号公報
【考案の概要】
【考案が解決しようとする課題】
【００１１】
特許文献１に記載されたヘアバンドを通常のヘアゴムのような髪留めに応用した場合、次の課題がある。まず、特許文献１の場合、ゴム紐の両端を固定具の穴に通して固定するので、ゴム紐の２つの端を穴に通す作業に手間がかかる。また、ゴム紐には所定間隔で突起が付いているので、２つのゴム紐の突起が固定具内でぶつかり、スムーズに固定具を移動させることができない。また、特許文献１の場合、ゴム紐と固定具が分離しているので、固定具を紛失した場合、ヘアバンド（本考案では髪留め）を利用することができなくなってしまう。
【００１２】
また、特許文献１の場合、スポーツのシーンで使用されることを想定しているので、ファッション性について考慮されていない。ヘアゴムのような髪留めの場合、主に女性に使用されるため、ファッション性が重要な要素となる。
【００１３】
上記の問題を鑑みて、本考案は、髪の締め付け具合を簡単に調整することができるとともに、髪を束ねる手間がかからず、短時間でスムーズに髪を束ねることができ、部品の紛失等によって利用不可能になる事態が生じることなく、ファッション性に優れた飾り付き髪留めを提供することを目的とする。
【課題を解決するための手段】
【００１４】
本考案の飾り付き髪留めは、複数の突起または溝が軸方向に所定間隔で配置された線状の紐本体部と、紐本体部の所定位置に設けられ、第１穴を有する第１固定部とで構成された紐と、第２穴を有する第２固定部を含む飾りと、を備え、第１固定部は、紐本体部の一端が第１穴に通されることで複数の突起の間または溝に固定され、第２固定部は、紐本体部の一端が第２穴に通されることで複数の突起の間または溝に固定されることを特徴とする。
【００１５】
複数の突起は、径方向に弾性変形可能であり、第１穴及び第２穴は、内径が紐本体部の一端の外径よりも大きく突起の外径よりも小さい。このような構成によれば、紐本体部の一端を第１穴及び第２穴の中にスムーズに通すことができるとともに、第１固定部及び第２固定部を固定するストッパーとして突起を機能させることができる。
【００１６】
第１固定部は、第１穴が径方向に伸縮する伸縮性材料で形成され、第２固定部は、第２穴が径方向に伸縮する伸縮性材料で形成されている。このような構成によれば、第１穴及び第２穴の内径や各部分の径の大きさを厳密に合わせる必要がなく、簡単に低コストで飾り付き髪留めを製造することができる。
【００１７】
紐は、紐本体部の一端に設けられ、複数の突起の間または溝に引っ掛けられることで紐本体部の一端を複数の突起の間または溝に固定するフック部を備えている。このような構成によれば、フック部を任意の突起の間または溝に引っ掛けることができ、髪留めの形をさまざまに変形させることができる。
【００１８】
紐本体部は、軸方向に伸縮する伸縮性材料で形成されている。このような構成によれば、第１固定部を紐本体部の所定位置に固定することにより形成される輪を指で広げることができ、髪を束ねる際に使いやすくなる。
【考案の効果】
【００１９】
本考案によれば、髪の締め付け具合を簡単に調整することができるとともに、髪を束ねる手間がかからず、短時間でスムーズに髪を束ねることができる。また、本考案によれば、部品の紛失等によって利用不可能になる事態が生じることを防止することができる。さらに、本考案によれば、飾りを使用者の好きな箇所に簡単に取り付けることができ、ファッション性を向上させることができる。
【図面の簡単な説明】
【００２０】
【図１】第１実施形態の飾り付き髪留めの全体構成を示す図である。
【図２】第１実施形態の飾り付き髪留めにおける紐を示す拡大断面図である。
【図３】第１実施形態の飾り付き髪留めにおける星形の飾りを示す図である。
【図４】第１実施形態の飾り付き髪留めの使用状態を示す図である。
【図５】第１実施形態の飾り付き髪留めの使用状態を示す図である。
【図６】第２実施形態の飾り付き髪留めにおける紐を示す図である。
【図７】第２実施形態の飾り付き髪留めの使用状態を示す図である。
【考案を実施するための形態】
【００２１】
以下、図面を参照して、本考案の髪留めを実施するための形態を説明する。また、図面においては、各構成をわかりやすくするために、一部を強調して、あるいは一部を簡略化して表し、実際の構造または形状、縮尺等が異なっている場合がある。
【００２２】
実施形態１：
図１は、第１実施形態の飾り付き髪留め１の全体構成を示す図である。図１に示す飾り付き髪留め１は、以下に説明するように通常のヘアゴムとは構成及び使い方が大きく異なる製品である。この飾り付き髪留め１は、髪を束ねる（縛る、まとめる）ための線状の紐２と、その紐２に取り付けられる飾り３とを備えている。紐２は、紐本体部１０、複数の突起１１、端部１３、第１固定部１４を有している。また、図１に示す例では、飾り３として、星形の飾り２１、月形の飾り２２を示している。
【００２３】
紐本体部１０は、線状の紐２の本体部分である。紐本体部１０は、断面が円形または略円形であり、軸方向に伸縮するゴムなどの伸縮性材料で形成されている。紐本体部１０は、径方向に弾性変形可能な複数の突起１１が軸方向に所定間隔で配置されている。本実施形態では、紐本体部１０の周囲に球状の突起１１が一定間隔で複数形成されている。複数の突起１１は、径方向に弾性変形可能なゴムなどの材料で形成されている。複数の突起１１が一定間隔で配置されることにより、複数の突起１１の間に隙間１２が形成される。
【００２４】
端部１３は、紐本体部１０の一端を構成する部分である。本実施形態では、端部１３は、例えばプラスチックや金属などの材料で形成されている。第１固定部１４は、紐本体部１０の他端に設けられた、第１穴１４Ａを有するリング状の部材である。本実施形態では、第１固定部１４は、例えばプラスチックや金属などの材料で形成されている。
【００２５】
図２は、第１実施形態の飾り付き髪留め１における紐２を示す拡大断面図である。図２に示すように、紐２の紐本体部１０は、芯部１０ａと、その芯部１０ａを覆う外層１０ｂとで形成されている。そして、外層１０ｂの周囲に球状の突起１１が複数形成されている。芯部１０ａの一端に端部１３が取り付けられ、芯部１０ａの他端に第１固定部１４が取り付けられている。
【００２６】
図２に示すように、第１固定部１４の第１穴１４Ａの内径ｄ１は、端部１３の外径ｄ２よりも大きい。また、端部１３の外径ｄ２は、外層１０ｂの外径ｄ３と同じ大きさである。また、第１穴１４Ａの内径ｄ１は、突起１１の最大の外径ｄ４よりも小さい。
【００２７】
図３は、第１実施形態の飾り付き髪留め１における星形の飾り２１を示す図である。図３（Ａ）は星形の飾り２１の背面図であり、図３（Ｂ）は星形の飾り２１の側面図である。図３（Ａ）及び（Ｂ）に示すように、星形の飾り２１は、星形の飾り本体部２１ａと、飾り本体部２１ａの背面に設けられた第２固定部２１ｂとを有している。第２固定部２１ｂは、第２穴２１ｂ１を有するリング状の部材である。
【００２８】
本実施形態では、第２固定部２１ｂの第２穴２１ｂ１の内径ｄ５は、第１固定部１４の第１穴１４Ａの内径ｄ１と同じ大きさである。すなわち、第２固定部２１ｂの第２穴２１ｂ１の内径ｄ５は、端部１３の外径ｄ２よりも大きい。また、第２穴２１ｂ１の内径ｄ５は、突起１１の最大の外径ｄ４よりも小さい。
【００２９】
次に、飾り付き髪留め１の使用方法（使い方）について説明する。
【００３０】
図４及び図５は、第１実施形態の飾り付き髪留め１の使用状態を示す図である。図４は第１固定部１４が突起１１の間に固定された状態を示し、図５は星形の飾り２１が突起１１の間に取り付けられた状態を示している。
【００３１】
使用者が紐本体部１０の一端に設けられた端部１３を紐本体部１０の他端に設けられた第１固定部１４の第１穴１４Ａに通す。そして、使用者が第１固定部１４を一方の手で保持しつつ他方の手で端部１３を引っ張ることにより、第１固定部１４が紐本体部１０の軸方向に移動する。図２に示したように、第１固定部１４の第１穴１４Ａの内径ｄ１は突起１１の外径ｄ４よりも小さい。従って、図４に示すように、第１固定部１４が所定の２つの突起１１の間の隙間１２に保持される。これにより、紐本体部１０と第１固定部１４で輪が形成される。
【００３２】
使用者は、自身の髪の毛の量や長さに応じて自由に輪の径を調整することができる。使用者が飾り付き髪留め１を使用して髪を束ねる際、紐本体部１０と第１固定部１４で形成される輪を指で広げる。このとき、突起１１が第１固定部１４のストッパーとなり、第１固定部１４が２つの突起１１の間の隙間１２に保持された状態が維持される。使用者は一方の手で第１固定部１４を保持しつつ他方の手で端部１３を引っ張ることで、髪の締め付け具合を調整することができる。
【００３３】
第三者が飾り付き髪留め１を使用して使用者の髪を束ねる場合、第三者が使用者の髪を手で束ねる。そして、第三者が束ねた髪に紐本体部１０を巻き付けた後、紐本体部１０の端部１３を第１固定部１４の第１穴１４Ａに通す。そして、第三者が第１固定部１４を一方の手で保持しつつ他方の手で端部１３を引っ張ることにより、第１固定部１４が紐本体部１０の軸方向に移動する。第１固定部１４が所定の２つの突起１１の間の隙間１２に保持される。このように、第三者が短時間で簡単に使用者の髪を束ねることができる。
【００３４】
上記のような髪留め１は、使用者が自身の髪の毛の量や長さに応じて自由に輪の径を調整することができるというメリットがある。また、短時間で簡単に髪を束ねることができるというメリットもある。しかし、紐本体部１０における第１固定部１４の固定箇所と端部１３との部分、すなわち紐本体部１０における輪を形成している部分以外の余った部分の見栄え（見た目）が良くないというデメリットがある。これが、上記のような髪留め１が一般に出回っていない理由の一つであると考えられる。
【００３５】
そこで、本考案の飾り付き髪留め１では、発想を転換し、輪を形成している部分以外の余った部分（見栄えの良くない部分）を利用することで、髪留めの見栄えが良くなるとともに、使い方の自由度が増し、使用者の利便性を向上させる工夫をしている。つまり、余った部分に飾りを取り付け可能に構成することにより、見栄えが良くなるとともに、使い方の自由度が増すように工夫している。
【００３６】
図５に示すように、使用者が紐本体部１０の一端に設けられた端部１３を飾り２１の第２固定部２１ｂの第２穴２１ｂ１に通す。そして、使用者が第２固定部２１ｂを一方の手で保持しつつ他方の手で端部１３を引っ張ることにより、第２固定部２１ｂが紐本体部１０の軸方向に移動する。図３に示したように、第２固定部２１ｂの第２穴２１ｂ１の内径ｄ５は突起１１の外径ｄ４よりも小さい。従って、図５に示すように、第２固定部２１ｂが所定の２つの突起１１の間の隙間１２に保持される。
【００３７】
第１固定部１４と第２固定部２１ｂを同じ部品で構成することにより、製造コストを下げることができる。
【００３８】
図５に示す例では、端部１３を第１固定部１４の第１穴１４Ａに通して第１固定部１４を突起１１の間に固定した後、端部１３を飾り２１の第２固定部２１ｂの第２穴２１ｂ１に通して飾り２１を突起１１の間に取り付けていた。しかし、このような場合に限られず、端部１３を飾り２１の第２固定部２１ｂの第２穴２１ｂ１に通して飾り２１を突起１１の間に取り付けた後、端部１３を第１固定部１４の第１穴１４Ａに通して第１固定部１４を突起１１の間に固定してもよい。また、複数の飾り２１，２２を紐本体部１０のさまざまな箇所に取り付けることができる。
【００３９】
以上に示す構成では、径方向に弾性変形可能な複数の突起１１が軸方向に所定間隔で配置された線状の紐本体部１０と、紐本体部１０の所定位置に設けられ、第１穴１４Ａを有する第１固定部１４とで構成された紐２と、第２穴２１ｂ１を有する第２固定部２１ｂを含む飾り２１とを備えているので、髪の締め付け具合を簡単に調整することができるとともに、髪を束ねる手間がかからず、短時間でスムーズに髪を束ねることができる。
【００４０】
また、上記の構成によれば、第１固定部１４が紐本体部１０に取り付けられているので、部品の紛失等によって利用不可能になる事態が生じることがない。さらに、上記の構成によれば、飾り２１，２２を使用者の好きな箇所に簡単に取り付けることができ、ファッション性を向上させることができる。なお、飾り２１，２２を紛失等しても髪留め自体が利用不可能になることはない。
【００４１】
また、第１穴１４Ａは、内径が紐本体部１０の端部１３の外径よりも大きく突起１１の外径よりも小さい。このような構成によれば、端部１３を第１穴１４Ａの中にスムーズに通すことができるとともに、第１固定部１４を固定するストッパーとして突起１１を確実に機能させることができる。
【００４２】
また、第２穴２１ｂ１は、内径が紐本体部１０の端部１３の外径よりも大きく突起１１の外径よりも小さい。このような構成によれば、端部１３を第２穴２１ｂ１の中にスムーズに通すことができるとともに、第２固定部２１ｂを固定するストッパーとして突起１１を確実に機能させることができる。
【００４３】
実施形態２：
図６は、第２実施形態の飾り付き髪留めにおける紐２Ａを示す図である。図６に示す紐２Ａは、図１に示す紐２と異なり、紐２における端部１３に代えてフック部１５を設けている。フック部１５は、紐本体部１０の一端に設けられ、複数の突起１１の間に引っ掛けられることで紐本体部１０の一端を複数の突起１１の間に固定する部材である。フック部１５は、先がクの字に曲がった鉤のような形状に形成されている。フック部１５は、プラスチックや金属などの材料で形成されている。
【００４４】
図７は、第２実施形態の飾り付き髪留めの使用状態を示す図である。使用者が紐本体部１０Aの一端に設けられたフック部１５を第１固定部１４の第１穴１４Ａに通し、第１固定部１４を一方の手で保持しつつ他方の手で端部１３を引っ張る。第１固定部１４が所定の２つの突起１１の間の隙間１２に保持される。これにより、図７に示すように、紐本体部１０と第１固定部１４で輪が形成される。
【００４５】
次に、図７に示すように、使用者は紐本体部１０の一端に設けられたフック部１５を２つの突起１１の間の隙間１２に引っ掛ける。これにより、図７に示すように、紐本体部１０とフック部１５で輪が形成される。これも、紐本体部１０で輪が形成されている部分以外の余った部分の見た目をよくするための工夫である。なお、フック部１５は、任意の２つの突起１１の間に引っ掛けることができる。
【００４６】
上記のような構成によれば、ヘアゴムの形をさまざまに変形させることができ、使用者が楽しむことができる。
【００４７】
実施形態３：
上記の実施形態１，２では、第１固定部１４及び第２固定部２１ｂは、プラスチックや金属などの材料で形成されていた。しかし、そのような構成に限られず、第３実施形態における飾り付き髪留めは、第１固定部１４及び第２固定部２１ｂのうちの少なくとも一方をゴムなどの伸縮性材料で形成する。
【００４８】
すなわち、第１穴１４Ａが径方向に伸縮する伸縮性材料で第１固定部１４を形成し、また、第２穴２１ｂ１が径方向に伸縮する伸縮性材料で第２固定部２１ｂを形成する。このような構成の場合、第１固定部１４の第１穴１４Ａの内径、第２固定部２１ｂの第２穴２１ｂ１の内径、端部１３の外径、突起１１の外径を実施形態１，２の大きさにする必要がない。従って、髪留めを簡単に製造することができる。
【００４９】
上記の各実施形態の構成に限定されるわけではなく、適宜変更することが可能である。
【００５０】
例えば、紐本体部１０，１０Ａの断面は円形または略円形としていたが、断面が楕円形や方形などであってもよい。また、第１固定部１４は、紐本体部１０，１０Aの他端に設けられていたが、紐本体部１０，１０Aの途中の箇所に設けてもよい。この場合、第１固定部１４と他端との間に飾り３を取り付けることができる。
【００５１】
また、突起１１の形状は球状としていたが、突起１１がストッパーとして機能するものであれば楕円球状やリング状などの形状でもよい。また、紐本体部１０，１０Aに複数の突起１１を形成するのではなく、紐本体部１０，１０Aにストッパーとして機能する複数の溝（くびれ）を形成してもよい。この場合、例えば、第１穴１４Aや第２穴２１ｂ１の内径を紐本体部１０，１０Ａの外径よりも小さくすることで、複数の溝（くびれ）がストッパーとして機能する。
【００５２】
また、図２に示したように、端部１３の外径ｄ２と紐本体部１０の外層１０ｂの外径ｄ３は同じ大きさとしていたが、異なる大きさであってもよい。第１穴１４Aの内径ｄ１と第２穴２１ｂ１の内径ｄ５は同じ大きさとしていたが、内径ｄ１，ｄ５が端部１３の外径ｄ２よりも大きく、突起１１の最大の外径ｄ４よりも小さいという条件を満たせば、内径ｄ１，ｄ５が異なる大きさであってもよい。また、紐本体部１０は、芯部１０ａと外層１０ｂとで構成されていたが、ゴムなどの材料で一体的に形成されていてもよい。
【００５３】
また、紐本体部１０，１０Ａは軸方向に伸縮する伸縮性材料で形成されていたが、軸方向に伸縮しない非伸縮性材料で形成してもよい。
【００５４】
飾り３の例として、星型の飾り２１や月形の飾り２２を示したが、このような飾りに限定されず、アクセサリーやリボン、天然石、ビーズ、ワッペン、チェーンなどであってもよい。また、飾り３は、ＬＥＤなどの発光部品であってもよい。この場合、夜間の子供の安全を確保することができる。
【産業上の利用可能性】
【００５５】
本考案は、人の髪を束ねる際に使用するヘアゴムなどの髪留めに好適に使用することができる。
【符号の説明】
【００５６】
１  飾り付き髪留め
２，２Ａ  紐
３  飾り
１０，１０Ａ  紐本体部
１１  突起
１３  端部
１４  第１固定部
１４Ａ  第１穴
１５  フック部
２１，２２  飾り
２１ｂ  第２固定部
２１ｂ１  第２穴
【図１】
0003232702.tif 000003
【図２】
0003232702.tif 000004
【図３】
0003232702.tif 000005
【図４】
0003232702.tif 000006
【図５】
0003232702.tif 000007
【図６】
0003232702.tif 000008
【図７】
0003232702.tif 000009